(57)【特許請求の範囲】
【請求項１】
外装筐体と、
前記外装筐体に対し開閉自在に取り付けられるカバーと、
レーザー光を出射するレーザー光源、該レーザー光源を収容し、前記レーザー光が通過する開口部を有するハウジング、及び該ハウジングの開口部を覆うように前記ハウジングに配置され、前記レーザー光を透過させる光透過部材を含み、前記外装筐体内に配置される光走査装置と、
前記光透過部材における前記透過されたレーザー光が出射される表面に摺動され、前記光透過部材を清掃する清掃部材と、
前記カバーの前記開閉の動作に連動して、前記清掃部材が前記光透過部材の前記表面に摺動されるように前記清掃部材を移動させる連動機構と、
を備え、
前記連動機構は、前記カバーの閉状態から開状態への変化に連動して、前記清掃部材を前記光透過部材の前記表面に摺動させながら、前記光透過部材を透過した前記レーザー光の光路を遮蔽しない第１の位置から前記レーザー光の光路を遮蔽する第２の位置に、前記清掃部材を移動させ、
前記清掃部材は、
前記第１の位置において、前記光透過部材と交差する方向に延設され、前記第２の位置において、前記光路を遮蔽する板状の支持部材と、
可撓性の弾性部材からなり、前記支持部材に配置され、前記光透過部材に向かって延設されるシート部材と、
前記支持部材のうち、前記光透過部材とは反対側の位置に配置される軸部と、を備え、
前記連動機構は、前記カバーの閉状態から開状態への変化に応じて、前記支持部材を、前記軸部周りの第１方向に回動させ、前記シート部材の前記延設方向の先端部を、前記第１の位置から前記第２の位置に至るまで、前記光透過部材の一端側から他端側に向かって前記光透過部材の前記表面の被清掃領域に摺動させ、
前記清掃部材の前記第２の位置において、前記シート部材の前記先端部は、前記光透過部材の前記表面のうち前記レーザー光が通過する出射部よりも前記他端側の前記被清掃領域に接触し、
前記外装筐体は、前記カバーを回動可能に支持する軸支部を備え、
前記カバーは、前記軸支部周りに回動されることで前記開閉自在とされ、かつ、開状態から閉状態への変化に伴って、前記外装筐体の内部空間に進入されるアーム部を備え、
前記連動機構は、
前記清掃部材の前記軸部に連結され、前記内部空間に進入した前記アーム部に当接されることで、前記軸部を前記第１方向とは逆の第２方向に回動させ、前記清掃部材を前記第２の位置から前記第１の位置に移動させる連係部を備え、
前記連係部は、
前記外装筐体に配置され、前記アーム部に当接され、回動可能なリンク部材と、
前記清掃部材の前記軸部に連設され、前記リンク部材に当接可能な当接片と、
前記当接片から離間するように前記リンク部材を付勢する付勢部材と、を備え、
前記カバーの開状態から閉状態への変化に伴って、前記アーム部が前記付勢部材に付勢された前記リンク部材を前記当接片に向かって回動させ、前記リンク部材が前記当接片に当接することによって、前記清掃部材の前記軸部が前記第２方向に回動されることを特徴とする画像形成装置。
【請求項２】
前記清掃部材の前記支持部材は、黒色の樹脂材料からなることを特徴とする請求項１に記載の画像形成装置。
【請求項３】
前記清掃部材は、前記当接片が前記リンク部材に当接されていない状態において、前記清掃部材の自重によって、前記第２の位置に配置されることを特徴とする請求項１または２に記載の画像形成装置。
【発明の詳細な説明】
【技術分野】
【０００１】
本発明は、シートに画像を形成する画像形成装置に関し、特に、像担持体に静電潜像を形成する光走査装置を備えた画像形成装置に関する。
【背景技術】
【０００２】
従来、シートに画像を形成する画像形成装置において、画像を担持する感光体ドラムに静電潜像を形成する光走査装置として、特許文献１に記載されているような技術が知られている。この技術では、光走査装置としての露光装置は、ハウジング内にレーザーダイオードと、レンズと、ポリゴンミラーと、ポリゴンモーターと、ｆθレンズと、折返しミラーと、防塵機能を有する光透過部材と、を備えている。
【０００３】
レーザーダイオードから出射されたレーザー光が、レンズを介してポリゴンミラーへと導かれる。そして、ポリゴンモーターによって回転駆動されるポリゴンミラーに入射したレーザー光は、ポリゴンミラーの鏡面で反射偏向されたのち、ｆθレンズを通って折返しミラーで反射される。折返しミラーによって反射されたレーザー光は、透明の光透過部材を介して、主走査方向に走査されながら、副走査方向に回転する感光体ドラムのドラム面に導かれる。
【０００４】
特許文献１に記載された技術では、露光装置は、光透過部材を覆う遮蔽部材を、更に備える。遮蔽部材は、光透過部材を覆う位置と、光透過部材を露出させる位置との間で移動可能とされる。画像形成装置の外装カバーが開状態とされている場合、遮蔽部材が、光透過部材を覆うことで、画像形成装置の外部にレーザー光が出射されることが防止される。また、特許文献１には、光透過部材を清掃可能な清掃部材が、遮蔽部材に取り付けられた構成が開示されている。遮蔽部材が、光透過部材を覆う位置に移動されることで、清掃部材が光透過部材に接触し、光透過部材に付着したトナーや塵埃が清掃される。
【先行技術文献】
【特許文献】
【０００５】
【特許文献１】特開２００５−１９２０７６号公報
【発明の概要】
【発明が解決しようとする課題】
【０００６】
しかしながら、特許文献１に記載された技術では、清掃部材を光透過部材に対してスライド移動させるための駆動モーターが配置されている。このため、画像形成装置の大型化やコストアップがもたらされてしまう。
【０００７】
本発明は、上記問題に鑑みてなされたものであり、清掃部材を移動させるための駆動モーター等の駆動手段を備えることなく、光走査装置の光透過部材を清掃することが可能な画像形成装置を提供することを目的とする。
【課題を解決するための手段】
【０００８】
本発明の一局面に係る画像形成装置は、外装筐体と、前記外装筐体に対し開閉自在に取り付けられるカバーと、レーザー光を出射するレーザー光源、該レーザー光源を収容し、前記レーザー光が通過する開口部を有するハウジング、及び該ハウジングの開口部を覆うように前記ハウジングに配置され、前記レーザー光を透過させる光透過部材を含み、前記外装筐体内に配置される光走査装置と、前記光透過部材における前記透過されたレーザー光が出射される表面に摺動され、前記光透過部材を清掃する清掃部材と、前記カバーの前記開閉の動作に連動して、前記清掃部材が前記光透過部材の前記表面に摺動されるように前記清掃部材を移動させる連動機構と、を備え、前記連動機構は、前記カバーの閉状態から開状態への変化に連動して、前記清掃部材を前記光透過部材の前記表面に摺動させながら、前記光透過部材を透過した前記レーザー光の光路を遮蔽しない第１の位置から前記レーザー光の光路を遮蔽する第２の位置に、前記清掃部材を移動させ、前記清掃部材は、前記第１の位置において、前記光透過部材と交差する方向に延設され、前記第２の位置において、前記光路を遮蔽する板状の支持部材と、可撓性の弾性部材からなり、前記支持部材に配置され、前記光透過部材に向かって延設されるシート部材と、前記支持部材のうち、前記光透過部材とは反対側の位置に配置される軸部と、を備え、前記連動機構は、前記カバーの閉状態から開状態への変化に応じて、前記支持部材を、前記軸部周りの第１方向に回動させ、前記シート部材の前記延設方向の先端部を、前記第１の位置から前記第２の位置に至るまで、前記光透過部材の一端側から他端側に向かって前記光透過部材の前記表面の被清掃領域に摺動させ、前記清掃部材の前記第２の位置において、前記シート部材の前記先端部は、前記光透過部材の前記表面のうち前記レーザー光が通過する出射部よりも前記他端側の前記被清掃領域に接触していることを特徴とする。
【０００９】
本構成によれば、例えばユーザーがカバーを開閉させると、当該カバーの開閉動作が連動機構により清掃部材に伝達されて、清掃部材が光透過部材の前記表面を摺動する。このため、清掃部材が光透過部材を清掃するために、駆動モーターなどの駆動手段が配置される必要がない。この結果、画像形成装置の大型化やコストアップが抑止される。
【００１０】
また、本構成によれば、光透過部材を清掃する清掃部材を、レーザー光が、光走査装置から出射される出射経路を遮蔽する遮蔽部材として、兼用することが可能となる。そして、カバーを閉じた状態では、光透過部材を透過したレーザー光は清掃部材によって遮蔽されないが、カバーを開けた状態では、光透過部材を透過したレーザー光は清掃部材によって遮蔽される。カバーを開けた状態では、レーザー光が使用者の目に入ってしまう虞があるところ、本構成によれば、レーザー光が使用者の目に入ってしまうことを防止できる。
【００１１】
また、本構成によれば、清掃部材は、支持部材と、シート部材と、軸部とを備える。連動機構は、カバーの閉状態から開状態への変化に応じて、支持部材を軸部周りの第１方向に回動させ、シート部材の先端部を、光透過部材の表面に摺動させる。このため、支持部材の軸部回りの回動に伴って、シート部材の先端部によって光透過部材の表面を清掃することが可能となる。
【００１２】
また、本構成によれば、シート部材が弾性変形可能であるから、シート部材の前記光透過部材と交差する方向の長さを長めに設定しておけば、清掃部材（支持部材）の回動に伴って、支持部材と光透過部材との距離が変わっても、シート部材を光透過部材の表面に確実に摺動させることが可能となる。
【００１３】
上記の構成において、前記清掃部材の前記支持部材は、黒色の樹脂材料からなることが望ましい。
【００１４】
上記の構成において、前記外装筐体は、前記カバーを回動可能に支持する軸支部を備え、前記カバーは、前記軸支部周りに回動されることで、前記開閉自在とされ、かつ、開状態から閉状態への変化に伴って、前記外装筐体の内部空間に進入されるアーム部を備え、前記移動手段は、前記清掃部材の前記軸部に連結され、前記内部空間に進入される前記アーム部に当接されることで、前記軸部を前記第１方向とは逆の第２方向に回動させ、前記清掃部材を前記第２の位置から前記第１の位置に移動させる連係部を備えることが望ましい。
【００１５】
本構成によれば、カバーは、外装筐体に配設される軸支部周りに回動されることで、開閉自在とされる。また、カバーに配設されるアーム部は、カバーの開状態から閉状態への変化に伴って、外装筐体の内部空間に進入される。そして、連動機構の連係部は、清掃部材の軸部に連結され、内部空間に進入されるアーム部に当接されることで、清掃部材の軸部を第１方向とは逆の第２方向に回動させ、清掃部材を第２の位置から第１の位置に移動させる。このため、アーム部および連係部によって、清掃部材の第２の位置から第１の位置への移動が実現される。
【００１６】
上記の構成において、前記連係部は、前記外装筐体に配置され、前記アーム部に当接され、回動可能なリンク部材と、前記清掃部材の前記軸部に連設され、前記リンク部材に当接可能な当接片と、前記当接片から離間するように前記リンク部材を付勢する付勢部材と、を備え、前記カバーの開状態から閉状態への変化に伴って、前記アーム部が、前記付勢部材に付勢された前記リンク部材を前記当接片に向かって回動させ、前記リンク部材が、前記当接片に当接することによって、前記清掃部材の前記軸部が、前記第２方向に回動されることが望ましい。
【００１７】
本構成によれば、連係部は、外装筐体に配置され、アーム部に当接され、回動可能なリンク部材と、清掃部材の軸部に連設され、リンク部材に当接可能な当接片と、当接片から離間するようにリンク部材を付勢する付勢部材と、を備える。そして、カバーの開状態から閉状態への変化に伴って、アーム部がリンク部材を回動させ、リンク部材が当接片に当接することによって、清掃部材の軸部が第２方向に回動される。この結果、清掃部材が第２の位置から第１の位置に移動される。このため、アーム部と、リンク部材と、当接片と、付勢部材とによって、清掃部材の第２の位置から第１の位置への移動が実現される。
【００１８】
上記の構成において、前記清掃部材は、前記当接片が前記リンク部材に当接されていない状態において、前記清掃部材の自重によって、前記第２の位置に配置されることが望ましい。
【００１９】
本構成によれば、当接片がリンク部材に当接されていない状態において、清掃部材は、清掃部材の自重によって、第２の位置に配置される。このため、カバーが閉状態から開状態に変化される際に、アーム部が外装筐体の内部空間から離脱され、リンク部材が当接片から離間した場合に、清掃部材が自重によって、第２の位置から第１の位置に移動される。このため、清掃部材の自重によって、シート部材が光透過部材の表面に接触することが可能となる。
【発明の効果】
【００２０】
本発明によれば、清掃部材を移動させるための駆動モーター等の駆動手段を備えることなく、光走査装置の光透過部材を清掃することが可能な画像形成装置が提供される。
【図面の簡単な説明】
【００２１】
【図１】本発明の実施形態に係る画像形成装置の斜視図であり、開閉カバーを閉じた状態を示す図である。
【図２】本発明の実施形態に係る画像形成装置の斜視図であり、開閉カバーを開けた状態を示す図である。
【図３】本発明の実施形態に係る画像形成装置の内部構造を概略的に示す断面図である。
【図４】本発明の実施形態に係る露光装置の内部斜視図である。
【図５】本発明の実施形態に係る露光装置の装着部に露光装置が装着された様子を示す斜視図である。
【図６】本発明の実施形態に係る露光装置の装着部を示す斜視図である。
【図７】本発明の実施形態に係る露光装置の装着部を示す断面図である。
【図８】本発明の実施形態に係る露光装置の断面図である。
【図９】本発明の実施形態に係る画像形成装置の開閉カバーを閉じたときにおける、露光装置付近の拡大断面図である。
【図１０】本発明の実施形態に係る画像形成装置の開閉カバーを開けたときにおける、露光装置付近の拡大断面図である。
【図１１】本発明の実施形態に係る露光装置の装着部および開閉カバーを示す斜視図である。
【図１２】本発明の実施形態に係る連係部を説明するための斜視図である。
【図１３】本発明の実施形態に係る連係部を説明するための斜視図である。
【図１４】本発明の実施形態に係るリンク収容部付近の拡大断面図である。
【図１５】本発明の実施形態に係るリンク部材の動きを説明するための図である。
【図１６】本発明の実施形態に係るリンク部材の動きを説明するための図である。
【発明を実施するための形態】
【００２２】
以下、図面を参照しつつ、本発明の一実施形態について説明する。図１は、本発明の一実施形態に係るプリンター１００（画像形成装置）の斜視図である。図２は、プリンター１００において、開閉カバー２００Ｃが上方に開かれた状態の斜視図である。また、図３は、図１および図２に示されるプリンター１００の内部構造を概略的に示す断面図である。図１乃至図３に示されるプリンター１００は、いわゆるモノクロプリンター機であるが、他の実施形態において、画像形成装置は、カラープリンター、ファクシミリ装置、これらの機能を備える複合機やトナー画像をシートに形成するための他の装置であってもよい。尚、以下の説明で用いられる「上」や「下」、「前」や「後」、「左」や「右」といった方向を表す用語は、単に、説明の明瞭化を目的とするものであり、画像形成装置の原理を何ら限定するものではない。
【００２３】
プリンター１００は、シートＳに画像を形成するための様々な装置を収容する外装筐体２００を備える。外装筐体２００は、外装筐体２００の上面を規定する上壁２０１と、外装筐体２００の底面を規定する底壁２２０（図３）と、上壁２０１と底壁２２０との間の背面壁２４５（図２）と、背面壁２４５の前方に位置する前壁２５０と、を含む。外装筐体２００は、各種の装置が配置される本体内部空間２６０（内部空間）を備える。図２に示されるように、外装筐体２００の上側部分且つ前側部分には、本体内部空間２６０を上方に開放する本体開口部２６０Ａが形成されている。そして、外装筐体２００には、本体開口部２６０Ａを開閉自在にする開閉カバー２００Ｃが取り付けられている。
【００２４】
上壁２０１の中央部には、排紙部２１０が配置される。排紙部２１０は、上壁２１０の前方部分から後方部分にかけて、下方に傾斜した傾斜面からなる。排紙部２１０には、後記の画像形成部１２０において、画像が形成されたシートＳが排出される。また、前壁２５０の上下方向の中央部には、手差しトレイ２４０が配置される。手差トレイ２４０は、下端を支点として、上下に回動可能である（図３の矢印Ｄ１）。
【００２５】
開閉カバー２００Ｃは、左右方向の両端部に配置された一対のアーム部２３０によって、後述するヒンジ部を支点として、上下方向に開閉可能とされる（図１、２）。開閉カバー２００Ｃの開状態において、本体内部空間２６０が本体開口部２６０Ａを介して外部に開放される一方、開閉カバー２００Ｃの閉状態において、本体内部空間２６０が、閉塞される。
【００２６】
プリンター１００は、カセット１１０と、ピックアップローラー１１２と、第１給紙ローラー１１３と、第２給紙ローラー１１４と、搬送ローラー１１５と、レジストローラー対１１６と、画像形成部１２０とを備える。
【００２７】
カセット１１０は、内部にシートＳを収容する。カセット１１０は、シートＳを支持するリフト板１１１を備える。リフト板１１１は、シートＳの先頭縁を押し上げるように傾斜する。
【００２８】
ピックアップローラー１１２は、リフト板１１１によって押し上げられたシートＳの先頭縁上に配置される。ピックアップローラー１１２が回転すると、シートＳはカセット１１０から引き出される。
【００２９】
第１給紙ローラー１１３は、ピックアップローラー１１２の下流に配設される。第１給紙ローラー１１３は、シートＳを更に下流に送り出す。第２給紙ローラー１１４は、手差しトレイ２４０の支点付近に配設される。第２給紙ローラー１１４は、手差トレイ２４０上のシートＳを外装筐体２００内に引き込む。使用者は、カセット１１０に収容されたシートＳ、または手差トレイ２４０の上に載置されたシートＳを選択的に使用することができる。
【００３０】
搬送ローラー１１５は、第１給紙ローラー１１３、第２給紙ローラー１１４のシート搬送方向（以下、単に搬送方向ともいう）の下流（以下、単に下流ともいう）に配設される。搬送ローラー１１５は、第１給紙ローラー１１３、第２給紙ローラー１１４によって送り出されたシートＳを更に下流へ搬送する。
【００３１】
レジストローラー対１１６は、シートＳの斜め搬送を矯正する機能を有する。これにより、シートＳ上に形成される画像の位置が調整される。レジストローラー対１１６は、画像形成部１２０による画像形成のタイミングに合わせて、シートＳを画像形成部１２０に供給する。
【００３２】
画像形成部１２０は、感光体ドラム１２１（像担持体）と、帯電器１２２と、露光装置１２３（光走査装置）と、現像装置１２４と、トナーコンテナ１２５と、転写ローラー１２６と、クリーニング装置１２７とを備える。
【００３３】
感光体ドラム１２１は、略円筒形状を有する。感光体ドラム１２１は、周面に静電潜像が形成されるとともに、該静電潜像に応じたトナー画像を担持する。
【００３４】
帯電器１２２は、所定の電圧が印加され、感光体ドラム１２１の周面を略一様に帯電させる。
【００３５】
露光装置１２３は、帯電器１２２によって帯電された感光体ドラム１２１の周面に、レーザー光を照射する。該レーザー光は、プリンター１００に通信可能に接続されたパーソナルコンピュータといった外部装置（図示せず）から出力された画像データに従って、照射される。この結果、感光体ドラム１２１の周面には、画像データに対応する静電潜像が形成される。なお、露光装置１２３については、後記で詳述する。
【００３６】
現像装置１２４は、静電潜像が形成された感光体ドラム１２１の周面にトナーを供給する。トナーコンテナ１２５は、現像装置１２４へトナーを供給する。トナーコンテナ１２５は、現像装置１２４に順次又は必要に応じてトナーを供給する。現像装置１２４がトナーを感光体ドラム１２１に供給すると、感光体ドラム１２１の周面に形成された静電潜像が現像（可視化）される。この結果、感光体ドラム１２１の周面に、トナー画像が形成されることとなる。
【００３７】
転写ローラー１２６は、感光体ドラム１２１の周面に当接するように、回転可能に配設される。レジストローラー対１１６から搬送されたシートＳが、感光体ドラム１２１と転写ローラー１２６との間を通過するときに、感光体ドラム１２１の周面に形成されたトナー画像が、シートＳに転写される。
【００３８】
クリーニング装置１２７は、シートＳへトナー画像が転写された後に、感光体ドラム１２１の周面に残るトナーを除去する。クリーニング装置１２７によって、清浄化された感光体ドラム１２１の周面は、再度、帯電器１２２の下方を通過し、一様に帯電される。その後、上述のトナー画像の形成が新たに行われる。
【００３９】
プリンター１００は、画像形成部１２０よりも搬送方向下流側に、シートＳ上のトナー画像を定着させる定着装置１３０を更に備える。定着装置１３０は、シートＳ上のトナーを溶融させる加熱ローラー１３１と、シートＳを加熱ローラー１３１に密着させる圧力ローラー１３２と、を備える。シートＳが加熱ローラー１３１と圧力ローラー１３２との間を通過すると、トナー画像は、シートＳに定着される。
【００４０】
プリンター１００は、定着装置１３０の下流に配設された複数の搬送ローラー対１３３と、搬送ローラー対１３３の下流に配設された排出ローラー対１３４と、を更に備える。シートＳは、搬送ローラー対１３３によって上方に搬送され、最終的に、排出ローラー対１３４によって、外装筐体２００から排出される。外装筐体２００から排出されたシートＳは、排紙部２１０上に積み重ねられる。
【００４１】
次に、図４を参照して、本実施形態に係る露光装置１２３の構成について説明する。図４は、本実施形態に係る露光装置１２３の内部構造を示した斜視図である。なお、図４は、露光装置１２３の天板８０Ｔ（図５、図８参照）を取り外した状態に相当する。露光装置１２３は、本体内部空間２６０に配置される。即ち、露光装置１２３は、外装筐体２００内に配置される。露光装置１２３は、ハウジング８０（図８参照）と、レーザーダイオード８１（レーザー光源）と、レンズ部８２、８３と、ポリゴンモーターユニット７と、ｆθレンズ８５と、折返しミラー８６と、を備えている。
【００４２】
ハウジング８０は、露光装置１２３の各部品を収容する筐体である。ハウジング８０は、上面視で略矩形形状の偏平な筐体である。ハウジング８０は、ハウジング本体８０Ｇと、天板８０Ｔ（図５、図８）と、を備える。ハウジング本体８０Ｇは、右方、後方、左方、前方を、それぞれ、右壁８１０、後壁８１１、左壁８１２、前壁８１３によって画定される。また、ハウジング８０の底面は、底部８０Ｓによって画定される。天板８０Ｔは、ハウジング本体８０Ｇの上方に装着され、右壁８１０、後壁８１１、左壁８１２、前壁８１３に連設される。ハウジング８０の内部には、各種光学部品などが配置される内部空間Ｓが形成される。
【００４３】
レーザーダイオード８１は、図外の画像メモリで生成されて出力された画像データ信号に応じたレーザー光を出射（出力）する。レーザーダイオード８１は、ハウジング８０の右壁８１０の内側に配置される。このレーザーダイオード８１は、レーザー光の出射タイミング等の制御を行う不図示の回路基板に電気的に接続されている。レンズ部８２、８３は、例えばコリメータレンズやプリズム等により構成されており、入射したレーザー光を平行光に変換する機能を有している。
【００４４】
ポリゴンモーターユニット７は、ハウジング８０の略中央部に配置される。ポリゴンモーターユニット７は、基板上にポリゴンモーター７１とポリゴンミラー７２とを備える。ポリゴンモーター７１は、駆動電流が入力され、所定の回転数で、ポリゴンミラー７２を回転させる。ポリゴンミラー７２は、平面視正多角形状（図４では正六角形状）の平板状に形成され、複数のミラー面を備える。ポリゴンミラー７２は、図４の矢印ＤＰ方向に回転駆動される。換言すれば、ポリゴンモーター７１は、ポリゴンミラー７２の各ミラー面が、左壁８１２に対向した後、前壁８１３に対向するように、ポリゴンミラー７２を回転させる。ポリゴンミラー７２は、ポリゴンモーター７１によって回転されながら、レンズ部８３からのレーザー光を偏向し、ｆθレンズ８５に向けて走査する。
【００４５】
ｆθレンズ８５は、ポリゴンモーターユニット７の前方において、左右方向に沿って配置される。ｆθレンズ８５は、ポリゴンモーター７１と、前壁８１３との間に、配置される。ｆθレンズ８５は、上面視で略アーチ形状からなる。特に、ｆθレンズ８５の中央部は、ポリゴンミラー７２に向かって突出しており、ｆθレンズ８５の両端部は、折返しミラー８６（前壁８１３）に向かって突出している。ｆθレンズ８５は、ポリゴンミラー７２で偏向されたレーザー光を屈折させ、感光体ドラム１２１上で等速走査させる機能を有している。折返しミラー８６は、ｆθレンズ８５からのレーザー光を反射して感光体ドラム１２１に導くために設けられている。
【００４６】
ハウジング８０の底部８０Ｓには、図８、９に示すように、折返しミラー８６によって反射されたレーザー光を、露光装置１２３の外側に出射するための出射開口部８５０（開口部）が形成されている。出射開口部８５０は、折返しミラー８６の下方、かつ後方の位置で、折返しミラー８６に対向して開口される。出射開口部８５０は、前後方向に所定の幅を有し、左右方向に沿って（折返しミラー８６に沿って）配置される。
【００４７】
本実施形態に係る露光装置１２３は、図８、９に示すように、出射開口部８５０を下方から覆うように、底部８０Ｓに固定されたシールガラス９０（光透過部材）を更に備える。シールガラス９０は、透明なガラス板であり、出射開口部８５０を通過したレーザー光を透過させる。また、シールガラス９０は、露光装置１２３の内部に、トナーや塵などが混入することを防止する機能を有する。以下、シールガラス９０のハウジング８０の外部側の表面のうち、シールガラス９０を透過したレーザー光が通過する部分を出射部ＢＡとする。
【００４８】
この露光装置１２３では、レーザーダイオード８１から出射されたレーザー光がレンズ部８２、８３を介してポリゴンミラー７２と導かれる。そして、回転するポリゴンミラー７２に入射したレーザー光は、ポリゴンミラー７２の鏡面で反射偏向されたのちｆθレンズ８５を通って折返しミラー８６で反射される。折返しミラー８６によって反射されたレーザー光は、出射開口部８５０を通過する。出射開口部８５０を通過したレーザー光は、シールガラス９０を透過し、所定の走査方向（主走査方向、図４の矢印Ａ方向）に水平走査されながら、前記走査方向と直交する軸心回り（副走査方向、図４の矢印Ｂ方向）に回転する感光体ドラム１２１のドラム面に導かれる。
【００４９】
次に、露光装置１２３のシールガラス９０の清掃機構について説明する。本実施形態では、シールガラス９０の清掃機構は、外装筐体２００の内部に配置される。図５は、外装筐体２００の内部に露光装置１２３が装着されている様子を示した斜視図である。また、図６は、図５から露光装置１２３が取り外された状態を示した斜視図である。更に、図７は、露光装置１２３が装着される装着プレート２２０の断面図である。また、図８は、装着プレート２２０に露光装置１２３が装着された状態の断面図である。また、図９および図１０は、装着プレート２２０に露光装置１２３が装着された状態の拡大断面図（左右方向に直交する断面図）である。図９は、開閉カバー２００Ｃを閉じたときの状態を示し、図１０は、開閉カバー２００Ｃを開けたときの状態を示す。
【００５０】
図５を参照して、画像形成装置１の外装筐体２００は、装着プレート２２０を備える。装着プレート２２０は、外装筐体２００の内部において、排紙部２１０の下方に、略水平に配置される支持プレートである（図３）。装着プレート２２０は、前後および左右方向の側縁を、それぞれ、プレート前壁２２０Ｄ、プレート後壁２２０Ｂ、プレート左壁２２０Ｃ、プレート右壁２２０Ａによって画定される。露光装置１２３は、装着プレート２２０に対して、上方から装着される。この際、露光装置１２３の前壁８１３、後壁８１１、左壁８１２、右壁８１０が、それぞれ、装着プレート２２０のプレート前壁２２０Ｄ、プレート後壁２２０Ｂ、プレート左壁２２０Ｃ、プレート右壁２２０Ａ側に位置するように配置される。
【００５１】
図７および図８を参照して、装着プレート２２０には、露光装置１２３のシールガラス９０に対応して左右方向に延びる開口部２２０Ｗが配置される。露光装置１２３が装着プレート２２０に装着され、開口部２２０Ｗの上方に出射開口部８５０（シールガラス９０）が配置されることによって、露光装置１２３から、開口部２２０Ｗを介して、感光体ドラム１２１にレーザー光が照射される（図４のＬ）。
【００５２】
画像形成装置１において、画像形成が実行される際、感光体ドラム１２１の表面に担持されたトナーや、現像装置１２７から飛散したトナーが、本体内部空間２６０内を浮遊する場合がある。また、開閉カバー２００Ｃ（図２）の開閉に伴って、本体内部空間２６０内に埃が混入する場合がある。このように、本体内部空間２６０内を浮遊したトナーや埃がシールガラス９０に付着すると、露光装置１２３から出射されるレーザー光を遮り、感光体ドラム１２１上に形成される静電潜像に画像欠陥がもたらされてしまう。このような問題を解決するために、本実施形態では、装着プレート２２０の開口部２２０Ｗの周辺に清掃部材５１が配置される。
【００５３】
図６乃至図９を参照して、清掃部材５１は、装着プレート２２０に配置される。清掃部材５１は、装着プレート２２０のうち、開口部２２０Ｗの後側に配置される。露光装置１２３が装着プレート２２０に装着された状態において、清掃部材５１はシールガラス９０の下方に配置される。清掃部材５１は、シールガラス９０におけるハウジング８０の外部側の表面に摺動され、シールガラス９０を清掃する。より詳しくは、清掃部材５１は、シールガラス９０の表面のうち、出射部ＢＡを含む被清掃領域ＣＡを清掃する（図９）。清掃部材５１は、遮蔽部５１０（支持部材）と、クリーニングシート５２（シート部材）と軸部５１１とを備える。
【００５４】
遮蔽部５１０は、清掃部材５１の本体部分に相当する。清掃部材５１は、左右方向に延びる長辺を有する矩形の板状部材である。遮蔽部５１０は、黒色の樹脂材料からなる。
【００５５】
クリーニングシート５２は、遮蔽部５１０の上面側に貼り付けられ、左右方向に延びる長辺を有する矩形状のシート部材である。本実施形態では、クリーニングシート５２は、例えばウレタンからなる可撓性のシート部材である。クリーニングシート５２は、図９、１０に示すように、短手方向の一端部（図９、図１０の下端部）である固定部５２２が遮蔽部５１０に接着固定される。また、クリーニングシート５２の短手方向の他端部（図９、図１０の上端部）である先端部５２１は、遮蔽部５１０から上方に延伸され、自由端を形成する。
【００５６】
軸部５１１は、遮蔽部５１０の短手方向の一端部（図９の下端部）から、それぞれ右方向および左方向に延設される一対の軸部（右軸部５１１Ａ、左軸部５１１Ｂ）からなる（図６）。すなわち、軸部５１１は、遮蔽部５１０のうち、シールガラス９０から最も遠い位置（シールガラス９０とは反対側の位置）に配置される。右軸部５１１Ａおよび左軸部５１１Ｂは、装着プレート２２０に左右方向に沿って形成された右軸受部２２１および左軸受部２２２にそれぞれ挿通される。この結果、清掃部材５１は、軸部５１１を支点として、回動可能とされる。
【００５７】
以下、本明細書中において、図９に示されるように、清掃部材５１の遮蔽部５１０の先端部５２１が、最も後方に配置される位置を、清掃部材５１の第１の位置とする。この第１の位置は、詳しくは後述するが、開閉カバー２２０Ｃが閉じられた状態の清掃部材５１の位置である。この第１の位置において、清掃部材５１の遮蔽部５１０は、シールガラス９０に対して、略直交するように配置される。クリーニングシート５２は、遮蔽部５１０の上端部付近で、前側に屈曲される。そして、クリーニングシート５２の先端部５２１は、シールガラス９０の表面のうち、被清掃領域ＣＡの外側（後側）の領域に当接される。このように、清掃部材５１が第１の位置に配置される場合、クリーニングシート５２の先端部５２１は、シールガラス９０の出射部ＢＡを覆っていない。換言すれば、先端部５２１は、出射部ＢＡから離間した位置に配置される。すなわち、清掃部材５１は、シールガラス９０を透過したレーザー光の光路Ｌを遮蔽することなく、シールガラス９０を透過したレーザー光の光路Ｌから後方に離間した位置に配置されている。したがって、折返しミラー８６によって反射され、出射開口部８５０を介してシールガラス９０を透過したレーザー光は、開口部２２０Ｗを介して、感光体ドラム１２１に照射可能とされる。
【００５８】
一方、図１０に示されるように、清掃部材５１の遮蔽部５１０が、軸部５１１を支点として回動された後、先端部５２１が出射部ＢＡよりも前方に配置された位置を、清掃部材５１の第２の位置とする。第２の位置において、清掃部材５１のクリーニングシート５２の先端部５２１は、出射部ＢＡよりも前方のシールガラス９０の被清掃領域ＣＡに接触している（図１０では、先端部５２１は、被清掃領域ＣＡの前端縁に接触している）。清掃部材５１が、前記第１の位置から第２の位置に移動する移動過程において、クリーニングシート５２の先端部５２１は、シールガラス９０のハウジング８０の外部側の表面（被清掃領域ＣＡ）に摺動される。この結果、シールガラス９０が、好適に清掃される。シールガラス９０にトナーや埃が付着している場合であっても、クリーニングシート５２の先端部５２１によって、前記トナーや埃が、シールガラス９０から掻き取られる。また、清掃部材５１が第２の位置に配置される場合、清掃部材５１の遮蔽部５１０は、シールガラス９０を透過したレーザー光の光路Ｌ上に位置する。したがって、シールガラス９０を透過したレーザー光は、清掃部材５１により遮蔽される。
【００５９】
このように、清掃部材５１が、第１の位置と第２の位置との間を移動されることで、クリーニングシート５２の先端部５２１が、シールガラス９０の出射部ＢＡを含む被清掃領域ＣＡを清掃することが可能となる。ここで、清掃部材５１を移動させるために、駆動モーターなどの駆動手段が配置された場合、プリンター１００の大型化やコストアップがもたらされてしまうところ、本実施形態に係るプリンター１００では、更に、上記の清掃部材５１の第１の位置と第２の位置との間の移動が、連動機構６０によって、開閉カバー２００Ｃの開閉動作に連動して実行されるように構成されている。
【００６０】
図１１は、本実施形態に係る連動機構６０を説明するために、プリンター１００の開閉カバー２００Ｃおよび装着プレート２２０を示した斜視図である。また、図１２および図１３は、連動機構６０を構成する連係部６５を説明するための、装着プレート２２０の斜視図である。更に、図１４は、連係部６５を構成するリンク部材５００が装着プレート２２０に装着されている状態を示す断面図である。
【００６１】
連動機構６０は、前述のアーム部２３０と、連係部６５と、を備える（図１２、図１３）。連動機構６０は、開閉カバー２００Ｃの開閉の動作に連動して、清掃部材５１がシールガラス９０の表面に摺動されるように清掃部材５１を移動させる。
【００６２】
アーム部２３０は、開閉カバー２００Ｃの後端部であって、左右方向の両端部に一対配置される。アーム部２３０は、円弧状の湾曲部２３１と、ヒンジ軸２３２と、延出部２３３と、を備える。湾曲部２３１の一端は、開閉カバー２００Ｃの上壁前方部２０５の後端部に連結される。延出部２３３は、湾曲部２３１の他端部から延出しており、その延出した先端部には、ヒンジ軸２３２が設けられている。そして、ヒンジ軸２３２が、外装筐体２００に配置される不図示の一対のヒンジ軸受（軸支部）に挿入される。これらヒンジ軸２３２およびヒンジ軸受が開閉カバー２００Ｃのヒンジ部を構成する。この結果、開閉カバー２００Ｃが、ヒンジ軸２３２を支点として回動可能とされる。この回動によって、開閉カバー２００Ｃの開閉が実現される。
【００６３】
連係部６５（図１２）は、リンク部材５００と、平板状の当接片５１２とを備える。
【００６４】
リンク部材５００は、左右方向視で最前縁を頂点とする略三角形状の前側部５００Ｆと、該前側部５００Ｆの後側に連続し、左右方向視で略矩形状の後側部５００Ｒとを備える。リンク部材５００の前記最前縁には、左右方向に突設されるリンク軸部５００Ａが配置される。また、リンク部材５００には、後記のリンク当接部５００Ｃ、リンク被当接部５００Ｄおよび係合爪５００Ｔが配置される（図１５）。リンク当接部５００Ｃおよびリンク被当接部５００Ｄは、いずれもリンク部材５００の外周部分である。より詳しくは、リンク当接部５００Ｃは、後側部５００Ｒの下側の外周部分であり、リンク被当接部５００Ｄは、前側部５００Ｆの上側の外周部分である。リンク当接部５００Ｃは、前記の当接片５１２に当接し、リンク被当接部５００Ｄは、前述のアーム部２３０に当接される。また、係合爪５００Ｔは、後側部５００Ｒの下方かつ後方の角部から後方に向かって突出される爪部である。
【００６５】
当接片５１２（図１２、図１３）は、清掃部材５１の軸部５１１（左軸部５１１Ｂ）の左端部に連設される。当接片５１２は、軸部５１１の軸方向視（左右方向視）で、清掃部材５１の遮蔽部５１０と略直交するように配置される（図１３）。
【００６６】
なお、図１３に示されるように、清掃部材５１の遮蔽部５１０の方が、当接片５１２よりも、左右方向に幅広な形状を有しており、遮蔽部５１０が当接片５１２よりも重くなっている。このため、左右方向視で、清掃部材５１の重心位置が、当接片５１２が配置される領域よりも遮蔽部５１０が配置される領域のほうに、ずれている。この結果、当接片５１２が連設された清掃部材５１が、装着プレート２２０の右軸受部２２１および左軸受部２２２に装着された場合、清掃部材５１の自重によって、遮蔽部５１０が、開口部２２０Ｗを塞ぐように前方に回動される。同時に、当接片５１２は、ほぼ上方に向かって延設されるように配置される。
【００６７】
更に、装着プレート２２０は、プレート左壁２２０Ｃとプレート前壁２２０Ｄとが交差する角部に、リンク収容部５５０を備える。リンク収容部５５０は、前後左右それぞれに立設される複数の壁部によって囲まれた箱型形状を備える。リンク収容部５５０は上方に開放されている。リンク収容部５５０のうち、右側の壁部には、前後方向に僅かな幅を有し、上下方向に延びるスリット５５１が配置される。また、リンク収容部５５０の左側の壁の内側には、左右方向に延設された略円筒状の軸受部５５２が配置される（図１２）。更に、リンク収容部５５０のうち、後側の壁部の内壁には、係合突起５５０Ｔ（図１５）が配置される。係合突起５５０Ｔは、前記内壁から前方に向かって突出する突起部である。
【００６８】
図１１乃至図１３を参照して、清掃部材５１の右軸部５１１Ａおよび左軸部５１１Ｂが、装着プレート２２０の右溝部２２１および左溝部２２２に装着される。この際、左軸部５１１Ｂの左端部が、リンク収容部５５０のスリット５５１に上方から挿入され、当接片５１２が、リンク収容部５５０内に挿入される。更に、リンク部材５００のリンク軸部５００Ａが、リンク収容部５５０の軸受部５５２に装着され、リンク部材５００が、リンク収容部５５０に収容される。こうして、リンク部材５００がリンク軸部５００Ａを支点として上下方向に回動可能になっている。尚、リンク部材５００をリンク収容部５５０に収容する際、リンク部材５００の下端部（リンク当接部５００Ｃ、図１５）が、先にリンク収容部５５０内に挿入された当接片５１２を上方から押圧する。
【００６９】
更に、図１４を参照して、リンク部材５００のリンク軸部５００Ａには、スプリング９５（付勢部材）が配置される。スプリング９５は、いわゆるトーションスプリングであり、線材が巻かれたコイル部分から、線材の一端部である係止部９５Ａと、線材の他端部である当接部９５Ｂとが、それぞれ突出するように設けられている。また、係止部９５Ａと当接部９５Ｂとは、前記コイル部分の周方向において所定の間隔をおいて離間するように配置されている。スプリング９５のコイル部分が、リンク軸部５００Ａに挿通された状態で、係止部９５Ａの先端部９５Ａ１は屈曲され、リンク部材５００に開口された開口部の側壁５００Ｂに係止されている（図１４、図１５）。一方、スプリング９５の当接部９５Ｂは、当接面２２５に当接される。当接面２２５は、装着プレート２２０の壁部の面である。そして、図１４において、リンク部材５００が、リンク軸部５００Ａを支点として、矢印Ｄ１４１方向（下方）に回動されると、スプリング９５の係止部９５Ａと当接部９５Ｂとの間の距離が縮まってスプリング９５が弾性変形し、スプリング９５に弾性エネルギーが蓄えられる。
【００７０】
次に、図１、図２、図９乃至図１４に加え、図１５および図１６を参照して、開閉カバー２００Ｃの開閉動作に伴う、清掃部材５１の移動動作について説明する。図１５および図１６は、リンク部材５００の動きを説明するためのリンク部材５００周辺の断面図である。
【００７１】
開閉カバー２００Ｃが図１に示すような閉状態となっている場合、アーム部２３０の湾曲部２３１（図１１）が、リンク部材５００のリンク被当接部５００Ｄを後方向に押圧している（図１５の矢印Ｄ１５）。この結果、リンク部材５００は、図１５の矢印Ｄ１５１の方向に回動されていて、スプリング９５は、係止部９５Ａと当接部９５Ｂとの間の距離が前記所定の間隔から縮まるように弾性変形している。そして、リンク部材５００のリンク当接部５００Ｃが、当接片５１２を下方に押圧している（図１５の矢印Ｄ１５２）。
【００７２】
この開閉カバー２００Ｃが閉状態となっている状態では、清掃部材５１は、図９に示される前記第１の位置に位置している。
【００７３】
このように、外装筐体２００に対して、開閉カバー２００Ｃが閉状態となっている場合、図９に示すように、清掃部材５１のクリーニングシート５２の先端部５２１は、被清掃領域ＣＡの後方の外側に配置される。また、清掃部材５１は、シールガラス９０の出射部ＢＡから出射されるレーザー光の照射経路Ｌから後方に離間した位置に配置されている。したがって、開閉カバー２００Ｃが閉状態となっている場合、レーザー光は、シールガラス９０の出射部ＢＡから出射され、開口部２２０Ｗを介して、感光体ドラム１２１に照射される。
【００７４】
一方、図１に示される状態から図２に示される状態となるように、開閉カバー２００Ｃが開けられると（移動されると）、アーム部２３０の湾曲部２３１が、リンク部材５００のリンク被当接部５００Ｄから離れる。この結果、スプリング９５の弾性エネルギーが開放され（図１４の矢印Ｄ１４２）、リンク部材５００が図１６の矢印Ｄ１６１の方向に回動される。リンク部材５００の回動に伴って、リンク部材５００のリンク当接部５００Ｃが、当接片５１２から離れる。そして、リンク部材５００の係合爪５００Ｔがリンク収容部５５０の係合突起５５０Ｔと係合することによって、リンク部材５００の矢印Ｄ１６１方向の回動が停止される。リンク部材５００が当接片５１２から離れると、前述のように、当接片５１２が連結された清掃部材５１の自重による移動によって、当接片５１２は、図１６の矢印Ｄ１６２に示すように回動される。同時に、清掃部材５１が、図１０の矢印Ｄ１０１に示される方向（第１方向）に回動される。この際、清掃部材５１のクリーニングシート５２の先端部５２１が、前述のように、シールガラス９０の被清掃領域ＣＡに摺動される。この結果、シールガラス９０の出射部ＢＡが、好適に清掃される。
【００７５】
やがて、図２に示されるように、開閉カバー２００Ｃが、完全に開状態とされると、清掃部材５１は、図１０に示される第２の位置に配置される。そして、第２の位置に配置された清掃部材５１の遮蔽部５１０は、シールガラス９０の出射部ＢＡから出射されるレーザー光の照射経路Ｌを遮蔽する。したがって、開閉カバー２００Ｃが開状態とされ、使用者が、本体内部空間２６０の内部を視認することが可能な状態において、誤って露光装置１２３からレーザー光が照射された場合であっても、前記レーザー光が清掃部材５１の遮蔽部５１０によって遮蔽される。したがって、レーザー光が誤って使用者の目に入ってしまうことが確実に防止される。
【００７６】
開閉カバー２００Ｃが、再び図１に示す閉状態となるように移動される場合、上記と同様に、アーム部２３０の２３１が、リンク部材５００のリンク被当接部５００Ｄを押圧する（図１５の矢印Ｄ１５）。そして、リンク部材５００の回動に伴って、リンク部材５００のリンク当接部５００Ｃが当接片５１２を押圧し、当接片５１２を回動させる（図１５の矢印Ｄ１５２）。同時に、清掃部材５１の軸部５１１が、前記第１方向とは逆の第２方向（図１０の矢印Ｄ１０２の方向）に回動され、清掃部材５１が、第２の位置から第１の位置に移動される。
【００７７】
以上、上記の実施形態によれば、本体内部空間２６０を備える外装筐体２００に対して、開閉カバー２００Ｃが、開閉自在に配置される。本体内部空間２６０には、露光装置１２３が配置される。露光装置１２３は、レーザー光を出力するレーザーダイオード８１と、底部８０Ｓに開口されレーザー光を出射させる出射開口部８５０を有するハウジング８０と、出射開口部８５０を覆いレーザー光を透過させるシールガラス９０と、を含む。また、清掃部材５１は、シールガラス９０における透過されたレーザー光が出射される表面（つまり、シールガラス９０におけるハウジング８０の外部側の表面）に摺動されることで、シールガラス９０を清掃する。特に、清掃部材５１は、シールガラス９０を透過したレーザー光の光路を遮蔽しない第１の位置（非遮蔽位置）から移動され、シールガラス９０を透過されたレーザー光が出射される出射部ＢＡを含む被清掃領域ＣＡに摺動された後、前記光路を遮蔽する第２の位置（遮蔽位置）に至る。そして、連動機構６０は、開閉カバー２００Ｃの開閉の動作に連動して、清掃部材５１を第１の位置と第２の位置との間で移動させる。このため、清掃部材５１が、シールガラス９０を清掃するために、駆動モーターなどの駆動手段が配置される必要がない。従って、駆動モータなどの駆動手段を配置する必要がない分だけ、プリンター１００を小型化することができる。
【００７８】
また、上記の実施形態によれば、清掃部材５１は、第２の位置において、シールガラス９０の出射部ＢＡから出射されたレーザー光の光路を遮蔽する。このため、シールガラス９０を清掃する清掃部材５１を、レーザー光の出射経路を遮蔽する遮蔽部材として、兼用することが可能となる。
【００７９】
また、上記の実施形態によれば、清掃部材５１は、第１の位置において、シールガラス９０と交差する方向に延設される板状の遮蔽部５１０と、遮蔽部５１０に配置され、シールガラス９０に向かって延設されるクリーニングシート５２と、遮蔽部５１０のうち、シールガラス９０とは反対側の位置に配置される軸部５１１と、を備える。また、連動機構６０は、開閉カバー２００Ｃの閉状態から開状態への変化に応じて、第１の位置における遮蔽部５１０を、軸部５１１周りの第１方向に回動させ、クリーニングシート５２の先端部５２１を、シールガラス９０の表面（被清掃領域ＣＡ）に摺動させる。このため、清掃部材５１の軸部５１１回りの回動に伴って、清掃部材５１が第１の位置から第２の位置に移動し、シールガラス９０が清掃されることが可能となる。
【００８０】
また、上記の実施形態によれば、クリーニングシート５２は、ウレタンシートなどの可撓性の弾性部材からなる。このため、清掃部材５１の回動に伴って、クリーニングシート５２が弾性変形しながら、シールガラス９０の表面に接触することが可能となる。
【００８１】
また、上記の実施形態によれば、外装筐体２００は開閉カバー２００Ｃを回動可能に支持する軸支部を備え、開閉カバー２００Ｃは前記軸支部周りに回動されることで、前記開閉自在とされる。また、開閉カバー２００Ｃは、開状態から閉状態への変化に伴って、本体内部空間２６０に進入されるアーム部２３０を備える。更に、連動機構６０の連係部６５は、清掃部材５１の軸部５１１に連結され、本体内部空間２６０に進入してきたアーム部２３０に当接されることで、軸部５１１を第２方向に回動させ、清掃部材５１を第２の位置から第１の位置に移動させる。このため、アーム部２３０および連係部６５によって、清掃部材５１の第２の位置から第１の位置への移動が実現される。
【００８２】
また、上記の実施形態によれば、連係部６５は、外装筐体２００（装着プレート２２０）に配置され、アーム部２３０に当接され、回動可能なリンク部材５００と、清掃部材５１の軸部５１１に連設され、リンク部材５００に当接可能な当接片５１２と、当接片５１２から離間するようにリンク部材５００を付勢するスプリング９５と、を備える。そして、開閉カバー２００Ｃの開状態から閉状態への変化に伴って、アーム部２３０がスプリング９５に付勢されたリンク部材５００を当接片５１２に向かって回動させ、リンク部材５００が当接片５１２に当接することによって、清掃部材５１の軸部５１１が第２方向に回動される。このため、アーム部２３０と、リンク部材５００と、当接片５１２と、スプリング９５とによって、清掃部材５１の第２の位置から第１の位置への移動が実現される。
【００８３】
また、上記の実施形態によれば、清掃部材５１は、当接片５１２がリンク部材５００に当接されていない状態において、清掃部材５１の自重によって、第２の位置に配置される。このため、開閉カバー２００Ｃが閉状態から開状態に変化される際に、アーム部２３０が本体内部空間２６０から離脱され、リンク部材５００が当接片５１２から離間した場合に、清掃部材５１が自重によって、第２の位置から第１の位置に移動される。このため、清掃部材５１の自重によって、クリーニングシート５２がシールガラス９０の表面に接触することが可能となる。
【００８４】
以上、本発明の実施形態に係る露光装置１２３及びこれを備えたプリンター１００（画像形成装置）について説明したが、本発明はこれに限定されるものではなく、例えば次のような変形実施形態を取ることができる。
【００８５】
（１）上記の実施形態では、清掃部材５１が第２の位置において、レーザー光の出射経路を遮蔽する態様にて説明したが、本発明はこれに限定されるものではない。清掃部材５１は、シールガラス９０の出射部ＢＡを含む領域を清掃する機能だけを備えるものであってもよい。
【００８６】
（２）また、上記の実施形態では、シールガラス９０の表面に清掃部材５１を摺動させるために、連動機構６０が、アーム部２３０と連係部６５とを備える態様で説明したが、本発明はこれに限定されるものではない。開閉カバー２００Ｃの開閉動作に連動して、シールガラス９０の表面に接触するように、清掃部材５１を移動させる他の態様であってもよい。更に、本発明の連係部６５は、リンク部材５００と、当接片５１２と、スプリング９５とから構成される態様に限定されるものではない。連係部６５は、リンク部材５００を備えない態様であってもよい。この場合、清掃部材５１が、第２の位置に配置されるように、不図示のばね部材が当接片５１２を付勢する。そして、開閉カバー２００Ｃの開状態から閉状態への変化に伴って、アーム部２３０が直接、当接片５１２に当接し、清掃部材５１が第２の位置から第１の位置に移動される。
【００８７】
（３）また、上記の実施形態では、開閉カバー２００Ｃの開状態において、清掃部材５１が、自重によって第２の位置に配置される態様にて説明したが、本発明はこれに限定されるものではない。不図示のばねが清掃部材５１を付勢することで、清掃部材５１が第２の位置に配置されるものであってもよい。
【００８８】
（４）また、上記の実施形態では、清掃部材５１のクリーニングシート５２が、第１の位置および第２の位置において、シールガラス９０の表面に接触している態様にて説明したが、本発明はこれに限定されるものではない。クリーニングシート５２は、第１の位置または第２の位置において、シールガラス９０の表面から離間した位置に配置されてもよい。この場合であっても、清掃部材５１が第１の位置と第２の位置との間で移動される間に、クリーニングシート５２が被清掃領域ＣＡに摺動されるように構成すれば、シールガラス９０が好適に清掃される。
【符号の説明】
【００８９】
１００  プリンター（画像形成装置）
１２１  感光体ドラム（像担持体）
１２３  露光装置（光走査装置）
２００  外装筐体
２００Ｃ  開閉カバー（カバー）
２０５  上壁前方部
２２０  装着プレート
２２０Ａ  プレート右壁
２２０Ｂ  プレート後壁
２２０Ｃ  プレート左壁
２２０Ｄ  プレート前壁
２２０Ｗ  開口部
２２１  右軸受部
２２２  左軸受部
２２５  当接面
２３０  アーム部
２３０Ａ  左アーム部
２３０Ｂ  右アーム部
２３１  湾曲部
２３２  ヒンジ軸
２３３  延出部
２３５  前壁上方部
５００  リンク部材
５００Ａ  リンク軸部
５００Ｂ  リンク内壁部
５００Ｃ  リンク当接部
５００Ｄ  リンク被当接部
５００Ｔ  係合爪
５１  清掃部材
５１０  遮蔽部（支持部材）
５１１  軸部
５１１Ａ  右軸部
５１１Ｂ  左軸部
５１２  当接片
５２  クリーニングシート（シート部材）
５２１  先端部
５２２  固定部
５５０  リンク収容部
５５０Ｔ  係合突起
５５１  スリット
６０  連動機構
６５  連係部
７  ポリゴンモーターユニット
７１  ポリゴンモーター
７２  ポリゴンミラー
８０  ハウジング
８０Ｇ  ハウジング本体
８０Ｓ  底部
８０Ｔ  天板
８１  レーザーダイオード
８１０  右壁
８１１  後壁
８１２  左壁
８１３  前壁
８２  レンズ部
８３  レンズ部
８５  ｆθレンズ
８６  折返しミラー
８５０  出射開口部
９０  シールガラス（光透過部材）
９５  スプリング（付勢部材）
９５Ａ  係止部
９５Ｂ  当接部
ＢＡ  出射部
ＣＡ  被清掃領域
【図１】
0005638161.tif 000002
【図２】
0005638161.tif 000003
【図４】
0005638161.tif 000004
【図５】
0005638161.tif 000005
【図６】
0005638161.tif 000006
【図７】
0005638161.tif 000007
【図９】
0005638161.tif 000008
【図１０】
0005638161.tif 000009
【図１１】
0005638161.tif 000010
【図１２】
0005638161.tif 000011
【図１３】
0005638161.tif 000012
【図１４】
0005638161.tif 000013
【図１５】
0005638161.tif 000014
【図１６】
0005638161.tif 000015
【図３】
0005638161.tif 000016
【図８】
0005638161.tif 000017